(57)【要約】【課題】開傘時に、下ろくろにおける内孔の内壁面とシャフトとの間に隙間をなくして振動を防止する。【解決手段】少なくとも上段の上パイプ１１と下段の下パイプ１２との２管を有するシャフト１０と、上パイプ１１の上端近傍に設けられ、円筒状の上段部２１と上段部２１から垂下してなった下段部２２とからなる上ろくろ２０と、上ろくろ２０の下方に位置するようにシャフト１０に遊嵌している下ろくろ３０と、上ろくろ２０と下ろくろ３０とに枢着された傘地骨組み４１と、上ろくろ２０と下ろくろ３０とに出入り可能に内嵌するように上パイプ１１に外嵌している振動抑止部材５２と、上ろくろ２０および振動抑止部材５２に固設されて振動抑止部材５２を下ろくろ３０へ移動させる弾性部材５１を有する抑止装置５０とからなり、傘が開かれた場合、振動抑止部材５２が下ろくろ３０に内嵌して下ろくろ３０と上パイプ１１との間を充填する。【選択図】図２
2006334298.tif 000002
【特許請求の範囲】
【請求項１】
それぞれ上下２端を有する少なくとも上段の上パイプと該上パイプより内径の大きい下段の下パイプとの２管を入れ子式に伸縮自在に嵌挿してなっているシャフトと、
前記上パイプの上端近傍に設けられ、且つ円筒状の上段部と該上段部から垂下してなった該上段部より内径の大きい下段部とからなっている上ろくろと、
前記上ろくろの下方に配置され、且つ前記シャフトの外周に遊嵌している下ろくろと、
前記上ろくろと前記下ろくろとに枢着されていて前記下ろくろの前記シャフトに沿った上下摺動によって開閉される傘地骨組みと、
前記上ろくろと前記下ろくろとの間にあり且つそれらに出入り可能に内嵌することができるように前記上パイプに外嵌している振動抑止部材と、上下両端がそれぞれ前記上ろくろ内および前記振動抑止部材に固設されていて該振動抑止部材を前記下ろくろへ移動させるように付勢することができる弾性部材を有する抑止装置とからなっており、
それにより、前記下ろくろが前記上パイプの上端まで押されてそこに係止されるように傘が開かれた場合、前記振動抑止部材が前記下ろくろに内嵌して該下ろくろと前記上パイプとの間を充填し、前記下ろくろをがたつかないようにさせることができることを特徴とする傘の骨組みアセンブリ。
【請求項２】
それぞれ上下２端を有する少なくとも上段の上パイプと該上パイプより内径の大きい下段の下パイプとの２管を入れ子式に伸縮自在に嵌挿してなっているシャフトと、
前記上パイプの上端近傍に設けられ、且つ円筒状の上段部と該上段部から垂下してなった該上段部より内径の大きい下段部とからなっている上ろくろと、
前記上ろくろの下方に配置され、且つ前記シャフトの外周に遊嵌している下ろくろと、
前記上ろくろと前記下ろくろとに枢着されていて前記下ろくろの前記シャフトに沿った上下摺動によって開閉される傘地骨組みと、
前記傘地骨組みに載置された傘地と、
前記上ろくろと前記下ろくろとの間にあり且つそれらに出入り可能に内嵌することができるように前記上パイプに外嵌している振動抑止部材と、上下両端がそれぞれ前記上ろくろ内および前記振動抑止部材に固設されていて該振動抑止部材を前記下ろくろへ移動させるように付勢することができる弾性部材を有する抑止装置とからなっており、
それにより、前記下ろくろが前記上パイプの上端まで押されてそこに係止されるように傘が開かれた場合、前記振動抑止部材が前記下ろくろに内嵌して該下ろくろと前記上パイプとの間を充填し、前記下ろくろをがたつかないようにさせることができることを特徴とする傘。
【請求項３】
前記上ろくろは、さらに、前記下段部から前記シャフトに対して離れながら下がるように延びてなったハジキを含んでおり、且つ、前記下ろくろには、傘が開かれた場合、前記ハジキと係合する係合孔が形成してあることを特徴とする請求項２に記載の傘。
【請求項４】
前記シャフトは、さらに、前記上パイプに設けられており、傘が開かれた場合、前記上パイプから弾性的に突出して前記下ろくろを停止させるハジキを備えたことを特徴とする請求項２に記載の傘。
【発明の詳細な説明】
【技術分野】
【０００１】
本発明は、傘の骨組みアセンブリおよびそれを備えた傘に関し、特に、風力などによる振動を有効に低減させる傘の骨組みアセンブリおよびそれを備えた傘に関する。
【背景技術】
【０００２】
現在、折り畳みのできる傘は、図１に示すように、管径の異なる多数のパイプ１０１からその長手方向に沿って収縮したり伸展したりすることができる入れ子構造（図示せず）で互いに嵌挿してなっているシャフト１と、シャフト１の頂部に固設された上ろくろ２と、上ろくろ２の下方に位置するようにシャフト１に沿って上下摺動可能に遊嵌している下ろくろ３と、下ろくろ３の上下摺動によって展開されたり折り畳まれたりすることができるように上ろくろ２と下ろくろ３とに枢着されている傘地骨組み４１とを備えた骨組アセンブリと、傘地骨組み４１の上面に載置された傘地４２とからなっている。それにより、前記下ろくろ３が、閉傘状態から上ろくろ２の近傍へと押されると、開傘状態になり、開傘状態からシャフト１の手元方向に摺動させられると、閉傘状態になることができる。
【０００３】
しかしながら、前記入れ子構造になっている複数のパイプ１０１は管径が下から上へとだんだん細くなっていき、開傘時に、下ろくろ３が複数のシャフト１のもっとも上の細いものにある。そのため、下ろくろ３の内孔２０１の内壁面とパイプ１０１との間に大きい隙間が形成されており、強風または強雨などによる外力が傘地４２に掛かると、下ろくろ３がガタガタと振動し、それ自体が壊れやすいばかりでなく、傘地骨組み４１などの構造にも悪影響を与える欠点がある。
【発明の開示】
【発明が解決しようとする課題】
【０００４】
本発明は、従来の問題に鑑みてなされたもので、開傘時に、下ろくろにおける内孔の内壁面とシャフトとの間に隙間がなくて振動しにくい傘の骨組みアセンブリおよびそれを備えた傘を提供しようとすることを課題とする。
【課題を解決するための手段】
【０００５】
前記課題を解決するために、本発明は、それぞれ上下２端を有する少なくとも上段の上パイプと該上パイプより内径の大きい下段の下パイプとの２管を入れ子式に伸縮自在に嵌挿してなっているシャフトと、前記上パイプの上端近傍に設けられ、且つ円筒状の上段部と該上段部から垂下してなった該上段部より内径の大きい下段部とからなっている上ろくろと、前記上ろくろの下方に配置され、且つ前記シャフトの外周に遊嵌している下ろくろと、前記上ろくろと前記下ろくろとに枢着されていて前記下ろくろの前記シャフトに沿った上下摺動によって開閉される傘地骨組みと、前記上ろくろと前記下ろくろとの間にあり且つそれらに出入り可能に内嵌することができるように前記上パイプに外嵌している振動抑止部材と、上下両端がそれぞれ前記上ろくろ内および前記振動抑止部材に固設されていて該振動抑止部材を前記下ろくろへ移動させるように付勢することができる弾性部材を有する抑止装置とからなっており、それにより、前記下ろくろが前記上パイプの上端まで押されてそこに係止されるように傘が開かれた場合、前記振動抑止部材が前記下ろくろに内嵌して該下ろくろと前記上パイプとの間を充填し、前記下ろくろをがたつかないようにさせることができることを特徴とする傘の骨組みアセンブリを提供する。
【０００６】
さらに、本発明は、前記傘の骨組みアセンブリと、該骨組みアセンブリの傘地骨組みに載置された傘地とからなった傘を提供する。
【発明の効果】
【０００７】
本発明の骨組みアセンブリおよび傘は、開傘状態での前記振動係止部材が前記下ろくろに内嵌して前記下ろくろと前記上パイプとの間の隙間を充填することにより、前記下ろくろが風力や雨力などの外力でがたつくことを防止できる。
【発明を実施するための最良の形態】
【０００８】
以下、図面を参照しながら，本発明に係る傘の実施形態を説明する。
【０００９】
まず、本発明の第１の実施形態の傘は、図２に示すように、骨組みアセンブリと骨組みアセンブリに設けられた傘地４２とを備えている。骨組みアセンブリは、シャフト１０と、シャフト１０上に固設された上ろくろ２０と、上ろくろ２０の下方に位置するようにシャフト１０の外周に遊嵌している下ろくろ３０と、上ろくろ２０と下ろくろ３０とに枢着されている傘地骨組み４１と、シャフト１０に外嵌している抑止装置５０と備えている。
【００１０】
シャフト１０は、それぞれ上下２端を有するように少なくとも上段の上パイプ１１と、上パイプ１１より内径の大きい下段の下パイプ１２との２管を入れ子式に伸縮自在に嵌挿してなっている。ここで、本実施形態の下パイプ１２は二段式のタイプであり、上パイプ１１の外周に外嵌している第１管１２１と、第１管１２１の外周に外嵌している第２管１２２とで構成されている。
【００１１】
上ろくろ２０は、シャフト１０の上パイプ１１の上端に設けられ、円筒状の上段部２１と、上段部２１から垂下してなった上段部２１より内径の大きい下段部２２と、下段部２２からシャフト１０に対して離れながら下がるように延びてなったハジキ２３とを含んでいる。ハジキ２３の下端近傍には外方に向かう鈎部が形成してある。
【００１２】
下ろくろ３０は、その内部に内孔３１が形成され、さらに、下ろくろ本体３２を上下貫通していて開傘時にハジキ２３と嵌合できる係合孔３２１が形成してある。具体的には、この係合孔３２１は、内孔３１を構成する内周壁に上下方向に延びる設けた溝と、この溝の下部に設けた径方向に貫通する孔とからなる。そして、この孔の上部に残留縁に、ハジキ２３の鈎部が着脱可能に係合する。
【００１３】
傘地骨組み４１は、上ろくろ２０の上段部２１と下ろくろ３０とに枢着されていて、下ろくろ３０がシャフト１０に沿って上下摺動されることによって開閉されることができる。傘地骨組み４１の上面には傘地４２が載置されている。そして、複数の傘地骨組み４１と傘地４２とで骨組ユニット４０を構成する。
【００１４】
抑止装置５０は、上ろくろ２０と下ろくろ３０との間にあり且つこれらの内部に出入り可能に内嵌できるように上パイプ１１に外嵌している振動抑止部材５２と、上下両端がそれぞれ上ろくろ２０内および振動抑止部材５２に固設されていて振動抑止部材５２を下ろくろ３０へ移動させるように付勢することができる弾性部材５１を有する。ここで、弾性部材５１は、上ろくろ２０における上段部２１との連結で該上ろくろ２０内に固設されているが、上パイプ１１との連結で固設されてもよい。
【００１５】
ユーザは、開傘時には、まずシャフト１０を上下の方向（即ち軸方向）に展開（伸張）させる。その時、振動抑止部材５２は弾性部材５１の付勢力により上ろくろ２０内から進出するうえ、弾性部材５１が何にも付勢することのないように伸張する。シャフト１０を展開すると、引き続いて、図３に示すように、下ろくろ３０を上側の上ろくろ２０の方へ押す。その時、振動抑止部材５２は下ろくろ３０に内嵌して下ろくろ３０の摺動と共に上ろくろ２０の方へ移動する。下ろくろ３０が上パイプ１１の上ろくろ２０の直下まで押し上げられると、ハジキ２３の下端が上方から係合孔３２１内に貫入すると共に、弾性部材５１が振動抑止部材５２の上動により圧縮されて、該振動抑止部材５２に閉傘時の下動力を付勢する。即ち、開傘した後、振動抑止部材５２は下ろくろ３０に内嵌して下ろくろ３０と上パイプ１１との間の隙間を充填したので、下ろくろ３０の風力や雨力などの外力にがたつくことを防止できる。
【００１６】
図４に示すように、閉傘時には、ハジキ２３の鈎部を押してから下ろくろ３０をシャフト１０の手元の方へ移動させ、傘地骨組み４１を閉傘状態にさせる。傘をすぼめた（骨組ユニット４０を集束させた）後、さらに第１管１２１と第２管１２２とをそれらの端縁が上ろくろ２０の直下まで近寄るように縮める。そうすると、振動抑止部材５２は第２管１２２の上動に押されて弾性部材５１の付勢力に抗しながら上ろくろ２０に内嵌し、弾性部材５１を上ろくろ２０内に極端に圧縮して内蔵する。この時、振動抑止部材５２は極端に圧縮されている弾性部材５１にシャフト１０の手元方向への移動力を付勢されている。
【００１７】
本発明の第２の実施形態の傘は、図５に示すように、骨組みアセンブリと骨組みアセンブリに設けられた傘地４２Ａとを備えている。骨組みアセンブリは、シャフト１０Ａと、シャフト１０Ａ上に固設された上ろくろ２０Ａと、上ろくろ２０Ａの下方に位置するようにシャフト１０Ａの外周に遊嵌している下ろくろ３０Ａと、上ろくろ２０Ａと下ろくろと３０Ａとに枢着されている傘地骨組み４１Ａと、シャフト１０Ａに外嵌している抑止装置５０Ａと備えている。本実施形態において、第１の実施形態における構造および部材と異なるところは、互いに係止できるハジキ２３と係合孔３２１の代わりに、上パイプ１１Ａから弾性的に突出して開傘時の下くろく３０Ａを下から停止するハジキ１３Ａが設けてあることだけにある。
【００１８】
即ち、上パイプ１１Ａの下ろくろ３０Ａにおける開傘時の下ろくろ３０Ａの直下にスリット１１１Ａが形成してある。ハジキ１３Ａは薄い板材からなった湾曲状のものであり、且つ、上パイプ１１Ａ内の壁面にその下端が突っ張るように当接すると共にその頂部がスリット１１１Ａから外へ弾性的に突出することができるように設けられている。それにより、開傘時に、ハジキ１３Ａのスリット１１１Ａから突出した頂部により下ろくろ３０Ａを下から停止することができる。また、開傘状態の傘を閉傘しようとする場合、ハジキ１３Ａの頂部を上パイプ１１Ａの内部に押し込んでから下ろくろ３０Ａを下方へ引くことで済む。
【００１９】
本発明の傘の骨組みアセンブリおよびそれを備えた傘は、前記下ろくろに内嵌して、前記下ろくろと前記上パイプの間の隙間を充填することができる構成の簡単な前記振動抑止部材を有するので、前記下ろくろの風力や雨力などの外力にがたつくことを防止でき、少しのコストで傘の使用寿命を大きく延ばすことが可能となる。
【図面の簡単な説明】
【００２０】
【図１】従来の傘の要部を示す側面図
【図２】本発明の第１の実施形態における傘の要部を示す分解断面図
【図３】本発明の第１の実施形態における傘が開かれた状態を示す要部断面図
【図４】本発明の第１の実施形態における傘が閉じられた態を示す要部断面図
【図５】本発明の第２の実施形態における傘を示す要部断面図
【符号の説明】
【００２１】
１０、１０Ａ…シャフト
１１、１１Ａ…上パイプ
１１１Ａ…スリット
１２…下パイプ
１３Ａ…ハジキ
１２１…第１管
１２２…第２管
２０、２０Ａ…上ろくろ
２１…上段部
２２…下段部
２３…ハジキ
３０、３０Ａ…下ろくろ
３１…内孔
３２…下ろくろ本体
３２１…係合孔
４０…骨組ユニット
４１、４１Ａ…傘地骨組み
４２、４２Ａ…傘地
５０、５０Ａ…抑止装置
５１…弾性部材
５２…振動抑止部材
【図１】
2006334298.tif 000003
【図２】
2006334298.tif 000004
【図３】
2006334298.tif 000005
【図４】
2006334298.tif 000006
【図５】
2006334298.tif 000007